(57)【要約】【課題】  紙葉類に付与されている懸賞が当籤しているか否かを容易に判定でき、さらには、紙葉類の受取人だけでなく、差出人にも紙葉類に付与されている懸賞に対する当籤の権利が与えられる懸賞のしくみを提供できる。【解決手段】  紙葉類に搭載されているＩＣチップに記録されている抽選番号、抽選有効期限及びチップ識別ＩＤ等を読取り、当該紙葉類に搭載されているＩＣチップから読取った抽選番号が当籤しているか否かを判定し、その判定結果に基づいて紙葉類を区分するともに、さらに、紙葉類から差出人情報を読み取り、差出人に対しても当籤の通知を行うようにしてものである。【選択図】      図６
2005190118.tif 000002
【特許請求の範囲】
【請求項１】
紙葉類に搭載されているＩＣチップに記録されている抽選番号及び当該抽選番号が有効であるか否かを示す情報を読取る読取手段と、
この読取手段により紙葉類に搭載されているＩＣチップから読取った情報に基づいて当該紙葉類に搭載されているＩＣチップに記録されている抽選番号が有効であるか否かを判定する第１の判定手段と、
この第１の判定手段により当該紙葉類の抽選番号が有効であると判定した場合、前記読取手段により当該紙葉類に搭載されているＩＣチップから読取った抽選番号と当該抽選番号に対する抽選結果とを照合することにより当該紙葉類の抽選番号が当籤しているか否かを判定する第２の判定手段と、
この第２の判定手段による判定結果に基づいて紙葉類を区分する区分手段と、
を有することを特徴とする当籤照会装置。
【請求項２】
前記第１の判定手段は、前記読取手段により紙葉類のＩＣチップから読取った抽選番号と当該抽選番号が有効であるか否かを示す情報としてのチップ識別情報との組合わせに基づいて当該紙葉類のＩＣチップから読取った情報の真偽を判定する、ことを特徴とする前記請求項１に記載の当籤照会装置。
【請求項３】
紙葉類に搭載されているＩＣチップに記録されている抽選番号、当該抽選番号が有効であるか否かを示す識別情報、及び、当該紙葉類の差出人を示す差出人情報を読取る読取手段と、
この読取手段により紙葉類に搭載されているＩＣチップから読取った識別情報に基づいて当該紙葉類に搭載されているＩＣチップに記録されている抽選番号が有効であるか否かを判定する第１の判定手段と、
この第１の判定手段により当該紙葉類の抽選番号が有効であると判定した場合、前記読取手段により当該紙葉類に搭載されているＩＣチップから読取った抽選番号と当該抽選番号に対する抽選結果とを照合することにより当該紙葉類の抽選番号が当籤しているか否かを判定する第２の判定手段と、
この第２の判定手段による判定結果に基づいて紙葉類を区分する区分手段と、
前記第２の判定手段により抽選番号が当籤していると判定した場合に、当該紙葉類の差出人に当籤を通知する通知手段と、
を有することを特徴とする当籤照会装置。
【請求項４】
前記通知手段は、前記第２の判定手段により抽選番号が当籤していると判定した場合に、当該差出人情報に基づき当該差出人宛の当籤通知票を出力するものである、ことを特徴とする前記請求項３に記載の当籤照会装置。
【請求項５】
区分情報に基づいて紙葉類を区分する区分装置と、この区分装置とのデータ通信を行う情報管理装置とからなる当籤照会システムにおいて、
前記区分装置は、
区分情報に基づいて紙葉類を区分処理する区分手段と、
この区分手段による区分処理の過程において当該紙葉類に搭載されているＩＣチップに記録されている情報を読取る読取手段と、
この読取手段により紙葉類に搭載されているＩＣチップから懸賞の抽選番号と当該紙葉類の差出人情報とを読取った場合、前記抽選番号と前記差出人情報とを前記情報管理装置へ送信する送信手段と、を有し、
前記情報管理装置は、
前記区分装置から受信した懸賞の抽選番号とその抽選番号に対応する差出人情報とを記憶する記憶手段と、
この記憶手段に記憶した抽選番号に対する抽選結果が確定した場合、前記記憶手段に記憶している抽選番号とその抽選番号に対する抽選結果とを照合する照合手段と、
この照合手段による照合結果に基づいて当籤した抽選番号を差出人ごとに集計し、その集計したデータを当籤通知として差出人に通知する通知手段と、を有する、
ことを特徴とする当籤照会システム。
【請求項６】
前記区分装置は、さらに、前記読取手段により紙葉類に搭載されているＩＣチップから読取った抽選番号及び当該抽選番号が有効であるか否かを示す情報に基づいて当該抽選番号が有効であるか否かを判定する判定手段を有し、
前記送信手段は、前記判定手段により当該抽選番号が有効であると判定した場合にのみ前記抽選番号と前記差出人情報とを前記情報管理装置へ送信する、
ことを特徴とする前記請求項５に記載の当籤照会システム。
【請求項７】
懸賞つき紙葉類の購入者に関する購入者情報を取得する取得手段と、
この取得手段により取得した購入者情報を前記懸賞つき紙葉類に搭載されているＩＣチップに記録する記録手段と、
この記録手段により購入者情報を記録した懸賞つき紙葉類に搭載されているＩＣチップに予め記録されている懸賞の抽選番号を読取る読取手段と、
この読取手段により懸賞つき紙葉類に搭載されているＩＣチップから読取った懸賞の抽選番号と前記記録手段により当該懸賞つき紙葉類に搭載されているＩＣチップに記録した購入者情報とを情報管理装置に登録する登録手段と、
前記記録手段により購入者情報を記録した懸賞つき紙葉類を発行する発行手段と、
を有することを特徴とする懸賞つき紙葉類の発行装置。
【請求項８】
前記読取手段は、さらに、前記懸賞つき紙葉類に搭載されているＩＣチップに予め記録されている偽造防止用の識別情報を読取り、
前記登録手段は、前記懸賞の抽選番号及び前記購入者情報とともに、前記識別情報を情報管理装置に登録する、
ことを特徴とする前記請求項７に記載の懸賞つき紙葉類の発行装置。
【発明の詳細な説明】
【技術分野】
【０００１】
この発明は、例えば、はがきや切手などの紙葉類に付与されている懸賞に対する当籤照会を行う当籤照会装置と当籤照会システム、および、懸賞つきはがきや懸賞つき切手などの懸賞つき紙葉類を発行する発行装置に関する。
【背景技術】
【０００２】
従来、郵便物に非接触ＩＣチップを搭載する公知例としては、特開２０００−１２３１２７号公報、特開２００２−２３６７２６号公報などがある。
【０００３】
上記特開２０００−１２３１２７号公報では、郵便切手に非接触ＩＣカードを利用し、自宅等の端末装置を利用して非接触ＩＣカード内の郵便情報（郵便料金、送り先／送り元データ等）を書込むことで、「リサイクル利用可能」「郵便料金決済にて前払い／後払い（口座引落し）両方に対応可能」「送り先住所の情報を記録し、それを仕分け作業等に利用」といった効果を得るものについて記載されている。
【０００４】
上記特開２００２−２３６７２６号公報では、少なくとも郵便物を一意に特定するＩＤ情報が記録された非接触ＩＣタグを添付することにより、「リーダ内蔵型ポストに投函時に郵便依頼の受付け証明となる受領証を発行することで、受付け時間制限をなくす」「通信回線（インターネット）経由で、ユーザが現在の配達状況や配達履歴を容易に閲覧できる」「郵便料金の電子決済／後納」といった効果を得るものについて記載されている。
【０００５】
また、宝くじ券、競馬、競艇などの当落判定のある懸賞類における券（紙媒体）の自動当落判定処理を行う装置に関する公知例としては、特開２００３−１７８３４７号公報、特開２００１−２９７１６８号公報、特開２０００−１３２６１２号公報などがある。
【０００６】
上記特開２００３−１７８３４７号公報では、紙葉類の文字、数字、記号のデータを読取り、当落判定を行い、判定結果をまとめて印字／表示（等級に関連付けて表示や印字を変化させる）し、当籤の等級、はずれ、リジェクトといった結果に応じたスタッカに搬送しスタックするものについて記載されている。上記特開２００１−２９７１６８号公報では、番号とバーコードを読取る手段を備え、読取られた宝くじ（普通／インスタント）の当落を判定して結果を集計／印字し、また判定処理済の券にも所定の処理をする装置について記載されている。上記特開２０００−１３２６１２号公報では、単数または一括投入された複数枚の券片の照合を行い、照合及び判定結果を集計して印字した集計表を出力するものについて記載されている。
【０００７】
さらに、はがきをはじめとする郵便物の区分処理を行う装置に関する公知例としては、特開２００３−１４１４４３号公報などがある。上記特開２００３−１４１４４３号公報には、郵便物上に文字として記載された宛先情報や郵便番号情報を認識して、それに基づき区分する装置について記載されている。
【０００８】
しかしながら、従来は、懸賞つき郵便はがきや郵便切手の当籤照会を自動的に判定する装置がないため、例えば、はずれのものを含めた大量の懸賞つき郵便はがきや郵便切手を所持している場合、当籤照会を行うのに大変な手間がかかる。つまり、従来の懸賞つき郵便はがきや郵便切手の当籤照会に関しては、手作業によって当落を判定する必要があり、人手による負荷が大きいという問題点がある。
【０００９】
また、上記特開２００３−１７８３４７号公報、あるいは特開２００１−２９７１６８号公報では、抽選時点では当籤券を所持する人（通常は受取人）にのみ抽選の権利が与えられるとう運用形態を想定している。このような運用形態では、懸賞つき郵便はがきや郵便切手を購入して発送する差出人は、懸賞に参加できないため、懸賞としての魅力に欠けるという点がある。このため、懸賞つき郵便はがきや郵便切手の差出人も懸賞に参加することができ、懸賞としての魅力がある運用形態を実現できる懸賞つき郵便はがきや郵便切手などが要望されている。
【特許文献１】特開２０００−１２３１２７号公報
【特許文献２】特開２００２−２３６７２６号公報
【特許文献３】特開２００３−１７８３４７号公報
【特許文献４】特開２００１−２９７１６８号公報
【特許文献５】特開２０００−１３２６１２号公報
【特許文献６】特開２００３−１４１４４３号公報
【発明の開示】
【発明が解決しようとする課題】
【００１０】
この発明は、大量枚数の懸賞つき紙葉類の当籤照会を手作業で行うのは負荷が大きいという問題点を解決するもので、複数枚の懸賞つき紙葉類に対する当籤照会を一括して行うことができ、さらに、複数枚の懸賞つき紙葉類を当籤判定の結果別に区分あるいは集計して複数枚の懸賞つき紙葉類に対する当籤照会作業を効率化することができる懸賞つき紙葉類の当籤照会装置、当籤照会システム、及び発行装置を提供すること目的とする。
【００１１】
また、この発明は、懸賞つきの紙葉類を購入した人、例えば、懸賞はがきの差出人が懸賞に参加できないため、懸賞として魅力に欠けるという問題点を解決するものであり、懸賞つき紙葉類に搭載された非接触ＩＣチップに記録されている抽選番号と差出人情報との組み合せに基づいて差出人への当籤通知を行うことにより、差出人も懸賞に参加することが可能なり、懸賞としての魅力を高めることができる懸賞つき紙葉類の当籤照会装置、当籤照会システム、及び発行装置を提供すること目的とする。
【課題を解決するための手段】
【００１２】
この発明の当籤照会装置は、紙葉類に搭載されているＩＣチップに記録されている抽選番号及び当該抽選番号が有効であるか否かを示す情報を読取る読取手段と、この読取手段により紙葉類に搭載されているＩＣチップから読取った情報に基づいて当該紙葉類に搭載されているＩＣチップに記録されている抽選番号が有効であるか否かを判定する第１の判定手段と、この第１の判定手段により当該紙葉類の抽選番号が有効であると判定した場合、前記読取手段により当該紙葉類に搭載されているＩＣチップから読取った抽選番号と当該抽選番号に対する抽選結果とを照合することにより当該紙葉類の抽選番号が当籤しているか否かを判定する第２の判定手段と、この第２の判定手段による判定結果に基づいて紙葉類を区分する区分手段とを有する。
【００１３】
この発明の当籤照会装置は、紙葉類に搭載されているＩＣチップに記録されている抽選番号、当該抽選番号が有効であるか否かを示す識別情報、及び、当該紙葉類の差出人を示す差出人情報を読取る読取手段と、この読取手段により紙葉類に搭載されているＩＣチップから読取った識別情報に基づいて当該紙葉類に搭載されているＩＣチップに記録されている抽選番号が有効であるか否かを判定する第１の判定手段と、この第１の判定手段により当該紙葉類の抽選番号が有効であると判定した場合、前記読取手段により当該紙葉類に搭載されているＩＣチップから読取った抽選番号と当該抽選番号に対する抽選結果とを照合することにより当該紙葉類の抽選番号が当籤しているか否かを判定する第２の判定手段と、この第２の判定手段による判定結果に基づいて紙葉類を区分する区分手段と、
前記第２の判定手段により抽選番号が当籤していると判定した場合に、当該紙葉類の差出人に当籤を通知する通知手段とを有する。
【００１４】
この発明の当籤照会システムは、紙葉類の区分情報に基づいて紙葉類を区分する区分装置と、この区分装置から送信されたデータを受信する情報管理装置とからなるものにおいて、前記区分装置は、区分情報に基づいて紙葉類を区分処理する区分手段と、この区分手段による区分処理の過程において当該紙葉類に搭載されているＩＣチップに記録されている情報を読み取る読取手段と、この読取手段により紙葉類に搭載されているＩＣチップから懸賞の抽選番号と当該紙葉類の差出人情報とを読取った場合、前記抽選番号と前記差出人情報とを前記情報管理装置へ送信する送信手段とを有し、前記情報管理装置は、前記区分装置から受信した懸賞の抽選番号とその抽選番号に対応する差出人情報とを記憶する記憶手段と、この記憶手段に記憶した抽選番号の懸賞の抽選結果が確定した場合、前記記憶手段に記憶している抽選番号と懸賞の抽選結果とを照合する照合手段と、この照合手段による照合結果に基づいて当籤した抽選番号を差出人ごとに集計し、その集計したデータを当籤通知として差出人に通知する通知手段とを有する。
【００１５】
この発明の懸賞つき紙葉類の発行装置は、懸賞つき紙葉類の購入者に関する購入者情報を取得する取得手段と、この取得手段により取得した購入者情報を前記懸賞つき紙葉類に搭載されているＩＣチップに記録する記録手段と、この記録手段により購入者情報を記録した懸賞つき紙葉類に搭載されているＩＣチップに予め記録されている懸賞の抽選番号を読取る読取手段と、この読取手段により懸賞つき紙葉類に搭載されているＩＣチップから読取った懸賞の抽選番号と前記記録手段により当該懸賞つき紙葉類に搭載されているＩＣチップに記録した購入者情報とを情報管理装置に登録する登録手段と、前記記録手段により購入者情報を記録した懸賞つき紙葉類を発行する発行手段とを有する。
【発明の効果】
【００１６】
この発明によれば、複数枚の懸賞つき紙葉類に対する当籤照会を一括して行うことができ、さらに、複数枚の懸賞つき紙葉類を当籤判定の結果別に区分あるいは集計して複数枚の懸賞つき紙葉類に対する当籤照会作業を効率化することができる懸賞つき紙葉類の当籤照会装置、当籤照会システム、及び発行装置を提供できる。
【００１７】
また、この発明によれば、懸賞つき紙葉類に搭載された非接触ＩＣチップに記録されている抽選番号と差出人情報との組合せに基づいて差出人への当籤通知を行うことにより、差出人も懸賞に参加することが可能なり、懸賞としての魅力を高めることができる懸賞つき紙葉類の当籤照会装置、当籤照会システム、及び発行装置を提供できる。
【発明を実施するための最良の形態】
【００１８】
この発明を実現するための最良の実施の形態について図面を参照しつつ説明する。
【００１９】
図１は、この発明の実施の形態に係る懸賞つきはがき１の概要を示す図である。また、図２は、この発明の実施の形態に係る懸賞つき切手２の概要を示す図である。
【００２０】
上記懸賞つきはがき１には、図１に示すように、無線通信用のアンテナ１１と無線通信用のＩＣチップ１２とが搭載されている。同様に、懸賞つき切手２には、図２に示すように、無線通信用のアンテナ１１と無線通信用のＩＣチップ１２とが搭載されている。なお、以下の説明では、上記懸賞つきはがき１に搭載されるアンテナ１１及びＩＣチップ１２と上記懸賞つき切手２に搭載されるアンテナ１１及びＩＣチップ１２とは、同様な構成を有し、同様な形態で利用されるものとする。
【００２１】
上記懸賞つきはがき１は、例えば、定型の郵便はがきとして用いられるサイズの用紙で形成される。上記懸賞つきはがき１の紙面上の所定位置１ａには、懸賞として用いられる抽選番号が印刷されている。また、懸賞つき切手２は、郵便料金として郵便物に貼り付けられる切手である。上記懸賞つき切手２の券面には、少なくとも金額を示す情報が印刷されているとともに、所定位置２ａに懸賞として用いられる抽選番号が印刷されている。
【００２２】
上記のような抽選番号の情報は、懸賞つきはがき１あるいは懸賞つき切手２に内蔵されるＩＣチップ１２内のメモリにもデータとして記録される。また、上記ＩＣチップ１２内のメモリには、抽選番号のほかに種々のデータが記録可能である。例えば、上記ＩＣチップ１２内のメモリには、抽選番号の他に、チップ識別ＩＤ、抽選有効期限、郵便料金情報、差出人情報（住所、氏名等）、宛先情報（住所、氏名等）、使用済み情報（集配処理済み、当籤判定処理済み等）などが記録される。
【００２３】
次に、上記のようなＩＣチップ１２の構成例について説明する。
【００２４】
図３は、上記懸賞つきはがき１あるいは懸賞つき切手２に搭載されるＩＣチップ１２の構成例を概略的に示すブロック図である。
【００２５】
図３に示すように、上記ＩＣチップ１２は、ＣＰＵ３１、メモリ３２、通信制御部３３、及び電源部３４などを有している。
【００２６】
上記ＣＰＵ３１は、当該ＩＣチップ１２の動作を制御するモジュールである。上記メモリ３２は、情報を電子データとして記録するモジュールである。上記メモリ３２には、上述したような情報を記憶する記憶容量を有している。
【００２７】
上記通信制御部３３は、上記アンテナ１１を用いた無線通信を制御するモジュールである。上記電源部３４は、上記アンテナ１１により受信した無線電波から電源電圧を発生させるモジュールである。また、上記電源部３４は、上記アンテナ１１により受信した無線電波から生成した電源電圧を当該ＩＣチップ１２内の各部へ供給し、当該ＩＣチップ１２を起動されるようになっている。
【００２８】
次に、上記懸賞つきはがき１及び上記懸賞つき切手２の発行装置について説明する。
【００２９】
図４は、上記懸賞つきはがき１及び上記懸賞つき切手２の発行装置４０の構成を概略的に示すブロック図である。なお、以下の説明では、懸賞つきはがき１を発行する発行装置４０の動作について説明するが、懸賞つき切手２を発行する発行装置も同様な構成及び動作で実現できるものである。
【００３０】
図４に示すように、発行装置４０は、大きくユーザインタフェース部４１と処理部４２から構成される。また、当該発行装置４０は、発行した懸賞つきはがきなどに関する情報を管理する情報管理サーバ４３との通信が可能となっている。
【００３１】
上記ユーザインタフェース部４１は、ユーザあるいは係員に対する操作部及び表示部として機能するものである。上記ユーザインタフェース部４１は、図４に示すように、表示部５１、媒体排出口５２、入力装置５３、及び現金受付部（現金投入部）５４などを有する。
【００３２】
上記表示部５１は、表示装置により構成される。上記表示部５１は、ユーザあるいは係員に対する操作案内、あるいは処理結果などを表示するようになっている。上記媒体排出口５２は、上記処理部４２で発行された懸賞つきはがき１を排出するものである。
【００３３】
上記入力装置５３は、テンキー、キーボードあるいはタッチパネルにより構成される。上記入力装置５３は、ユーザあるいは係員による懸賞つきはがき１の発行に必要な情報や操作指示等の入力や動作指示などを受付ける。なお、上記表示部５１と上記入力装置５３とは、タッチパネル内蔵の表示装置にて一体的に構成するようにしても良い。
【００３４】
上記現金受付部５４は、ユーザあるいは係員から投入される紙幣、硬貨などを受付けるものである。また、上記処理部４２は、ユーザインタフェース部４１からの入力に基づき懸賞つきはがき１の発行処理を行うものである。上記処理部４２は、図４に示すように、非接触ＩＣチップリーダライタ５５、印刷部５６、ネットワークインタフェース部５７、現金処理ユニット５８、及び制御部５９などを有している。
【００３５】
上記非接触ＩＣチップリーダライタ５５は、発行する媒体（懸賞つきはがき１）に内蔵されているＩＣチップ（非接触式ＩＣチップ）１２との無線通信を行うユニットである。上記非接触ＩＣチップリーダライタ５５は、上記ＩＣチップ１２との無線通信により上記ＩＣチップ１２内のメモリへの情報の書込みあるいは上記ＩＣチップ１２内のメモリからの情報の読取りを行う機能を有している。
【００３６】
上記印刷部５６は、発行する媒体（懸賞つきはがき１）の表面に郵便料金あるいは差出人情報などを印刷する。なお、発行時において、懸賞つきはがき１の表面に何も印刷する必要がない場合には、上記印刷部５６は、省略するようにしても良い。
【００３７】
上記ネットワークインタフェース部５７は、情報管理サーバ４３とのデータ通信を行うインターフェースである。上記ネットワークインタフェース部５７は、例えば、発行する媒体（懸賞つきはがき１）に関する情報（抽選番号、抽選有効期限、チップ識別ＩＤ、差出人情報等）を上記情報管理サーバ４３に登録する機能を有する。
【００３８】
上記現金処理ユニット５８は、請求された代金としてユーザより投入された現金を処理する。上記制御部５９は、当該発行装置４０全体の制御を司るものである。上記制御部５９は、上記の各部分を統括して制御し、ユーザインタフェース部４１及び処理部４２内の各部分への指示を行う。
【００３９】
次に、上記発行装置４０による懸賞つきはがき１の発行手順について説明する。
【００４０】
図５は、上記発行装置４０による懸賞つきはがき１の発行手順を説明するためのフローチャートである。ここでは、一例として、ユーザによる操作に応じて懸賞つきはがき１を発行する場合の動作例について説明する。
【００４１】
まず、ユーザは、上記発行装置４０の入力装置５３により差出人情報として自身の住所、氏名などの情報を入力する（ステップＳ１１）。この時、差出人情報として電子メールアドレスなども入力するようにしても良い。上記入力装置５３により差出人情報が入力されると、上記発行装置４０の制御部５９は、上記入力装置５３にて入力された情報を差出人情報として取得する（ステップＳ１２）。上記差出人情報を取得すると、上記制御部５９は、上記表示部５１に発行するはがきの種類、枚数、及び郵便料金などを入力する旨の案内を表示する。
【００４２】
この案内表示に対して、上記ユーザは、懸賞つきはがき１の購入条件として、懸賞つきはがき１を指定するとともに、購入枚数を上記入力装置５３により指示入力する（ステップＳ１３）。上記入力装置５３にて懸賞つきはがき１の購入条件が入力されると、上記制御部５９は、発行する懸賞つきはがき１に記録する情報としての差出人情報や購入枚数などを確認するための確認画面を上記表示部５１に表示する（ステップＳ１４）。
【００４３】
上記表示部５１に確認画面が表示されると、ユーザは、当該確認画面により購入する懸賞つきはがき１に記録する情報（差出人情報等）や購入枚数などを確認する。この確認画面により確認した内容に誤りがなければ、上記ユーザは、上記入力装置５３により購入情報を確定するキーを指示入力する（ステップＳ１５）。
【００４４】
懸賞つきはがき１の購入条件の確定が指示されると、上記制御部５９は、購入枚数等に基づいて発行する懸賞つきはがき１の料金を算出し、その料金をユーザに請求する旨の代金請求の案内画面を上記表示部５１に表示する（ステップＳ１６）。
【００４５】
この代金請求の案内画面が表示されると、ユーザは、表示された代金に従って現金を上記現金受付部５４に投入する（ステップＳ１７）。上記現金受付部５４に投入された現金は、上記現金処理ユニット５８により処理される。上記現金処理ユニット５８では、投入された現金の金額を計算し、その金額を上記制御部５９へ通知する。上記制御部５９は、投入された金額が代金を満たす場合、上記購入条件に基づいて懸賞つきはがき１の発行処理を行う。
【００４６】
懸賞つきはがき１の発行処理において、上記制御部５９は、初期状態の懸賞つきはがきを図示しない収納部から取出し、上記収納部から取出した懸賞つきはがき１に内蔵されているＩＣチップ１２内のメモリに差出人情報を上記非接触ＩＣチップリーダライタ５５により書込む処理を行う（ステップＳ１８）。また、この書込み処理を行うとともに、上記制御部５９は、当該懸賞つきはがき１のＩＣチップ１２から抽選番号、抽選有効期限及びチップ識別ＩＤなどの情報を上記非接触ＩＣチップリーダライタ５５により読取る処理を行う（ステップＳ１８）。
【００４７】
なお、ここでは、初期状態の懸賞つきはがき１の券面には、抽選番号、抽選有効期限が印刷され、初期状態の懸賞つきはがき１のＩＣチップ１２内のメモリには、抽選番号、抽選有効期限及びチップ識別ＩＤなどの情報が予め記録されているものとする。
【００４８】
上記ステップＳ１８の書込み処理及び読み込み処理では、上記制御部５９は、まず、上記非接触ＩＣチップリーダライタ５５により無線電波を発信し、懸賞つきはがき１に埋め込まれているＩＣチップ１２を起動させる。これに対して、当該懸賞つきはがき１では、上記非接触ＩＣチップリーダライタ５５からの電波を上記アンテナ１１により受信して電源電圧を生成し、ＩＣチップ１２内の各部を起動させる。これにより、上記非接触ＩＣチップリーダライタ５５と当該懸賞つきはがき１のＩＣチップ１２とが無線通信可能な状態となる。
【００４９】
この状態において、上記制御部５９は、上記非接触ＩＣチップリーダライタ５５により当該懸賞つきはがき１に対して差出人情報等の書込み要求を発信する。この書込み要求に対して、当該懸賞つきはがき１の上記ＩＣチップ１２は、上記差出人情報等を当該ＩＣチップ１２内のメモリに記録する。このような手順により、懸賞つきはがき１に埋め込まれているＩＣチップ１２への差出人情報等の書込み処理が行われる。
【００５０】
さらに、上記制御部５９は、上記非接触ＩＣチップリーダライタ５５により当該懸賞つきはがき１に対して抽選番号及びチップ識別ＩＤなどの送信要求を発信する。この送信要求に対して、当該懸賞つきはがき１の上記ＩＣチップ１２は、上記差出人情報等を当該ＩＣチップ１２内のメモリに記録されている抽選番号やチップ識別ＩＤなどを読み出して上記非接触ＩＣチップリーダライタ５５へ返送する。この抽選番号やチップ識別ＩＤなどの情報を上記非接触ＩＣチップリーダライタ５５が受信することにより、懸賞つきはがき１に埋め込まれているＩＣチップ１２からの抽選番号やチップ識別ＩＤの読込み処理が行われる。
【００５１】
上記ステップＳ１８で書込み処理及び読込み処理を行うと、上記制御部５９は、発行する懸賞つきはがき１のＩＣチップ１２に記録した差出人情報と、発行する懸賞つきはがき１のＩＣチップ１２から読み込んだ抽選番号及びチップ識別ＩＤとを登録用のデータとして上記ネットワークインタフェース部５７により情報管理サーバ４３へ送信する（ステップＳ１９）。これにより、上記情報管理サーバ４３では、上記発行装置４０から発行済みの懸賞つきはがき１に関するデータとして受信した差出人情報、抽選番号、チップ識別ＩＤなどを図示しないデータベースに登録する。
【００５２】
上記ステップＳ１９までの処理が完了すると、上記制御部５９は、当該懸賞つきはがき１を上記媒体排出口５２から排出する（ステップＳ２０）。これにより、上記媒体排出口５２に排出された懸賞つきはがき１は、ユーザにより取り出され（ステップＳ２１）、懸賞つきはがき１の発行処理が完了する。
【００５３】
なお、上記ステップＳ１９で、懸賞つきはがき発行時に各懸賞つきはがきの「抽選番号」と「チップ識別ＩＤ」との組合せ情報を情報管理サーバ４３に格納しておのは、後述する第１の実施の形態あるいは第２の実施の形態において、懸賞つきはがきが偽造されたものでないかを判定する情報として用いられるものである。つまり、発行した懸賞つきはがきの抽選番号、チップ識別ＩＤ、及び差出人情報を上記情報管理サーバ４３に記録しておくことにより、懸賞つきはがきの偽造が防止できる。
【００５４】
また、懸賞つきはがきの偽造防止のための処理としては、発行時に、懸賞つきはがきの「抽選番号」と「チップ識別ＩＤ」とから所定の演算処理により算出されるチェックコードを当該懸賞つきはがきのＩＣチップ内に記録するようにしても良い。この場合も、後述する第１の実施の形態あるいは第２の実施の形態において、上記チェックコードを用いて懸賞つきはがきの真偽を判定することができ、懸賞つきはがきの偽造を防止できる。
【００５５】
上記のように、本実施の形態の発行装置は、購入者としての差出人から差出人情報を取得し、その差出人情報を懸賞つきの紙葉類１に内蔵されているＩＣチップに記録して発行するようにしたものである。
【００５６】
これにより、上記発行装置により発行された懸賞つきの紙葉類には差出人情報を記録することができるため、紙葉類の付与されている懸賞に対して差出人も抽選に参加することができ、懸賞が当籤が確定した場合にも当籤した紙葉類の差出人を容易に特定することができる。
【００５７】
なお、懸賞つきはがきに差出人情報を付与する手段は、上記以外にも以下に説明するような種々の形態がある。
【００５８】
例えば、上記のような抽選番号、抽選有効期限、及びチップ識別ＩＤが記録されたＩＣチップが搭載された懸賞つきはがきとは、別に、差出人情報（住所、氏名等）を記録した非接触ＩＣタグ（切手形式ないしはがきの差出人エリアに貼り付けられるシール形式のもの）を発行し、差出人が上記懸賞つきはがきに上記非接触ＩＣタグを貼付けて発送する。これにより、懸賞つきはがきに差出人情報を記録した非接触ＩＣチップが添付できる。
【００５９】
この場合、さらに、例えば、後述する第２の実施の形態で説明するような区分機において当該懸賞つきはがきを区分する際に、上記区分機が差出人情報と抽選番号やチップ識別ＩＤ等の情報とを読み込んで上記情報管理サーバ４３に登録するようにしても良い。これにより、上記発行装置４０で発行した懸賞つきはがきと同様な実施の形態が実現できる。
【００６０】
また、差出人から懸賞つきはがき（あるいは懸賞つきはがきの束）を郵便局の係員が受取った際に、差出人情報（住所、氏名等）を記載した専用帳票を１枚添付してもらう。このような専用帳票を受取った郵便局の係員は、非接触ＩＣカードリーダライタを有する処理機にて、専用帳票からＯＣＲ装置で読取った差出人情報あるいは専用帳票に基づいて係員が手入力した差出人情報を各懸賞つきはがきに搭載されている各ＩＣチップに書込むようにしても良い。これにより、懸賞つきはがきに搭載されているＩＣチップに差出人情報を記録することが可能となる。
【００６１】
この場合、さらに、上記のような処理機を上記情報管理サーバ４３に通信回線を介して接続させ、上記処理機が上記差出人情報と各懸賞つきはがきの抽選番号やチップ識別ＩＤ等の情報とを上記情報管理サーバ４３に登録するようにしても良い。この場合も、上記発行装置４０で発行した懸賞つきはがきと同様な実施の形態が実現できる。
【００６２】
次に、懸賞つきはがきの当籤照会を行うための第１の実施の形態について説明する。
【００６３】
本第１の実施の形態では、上記のような手順で発行された懸賞つきはがきの懸賞に対する当籤の照会を行う当籤照会装置について説明する。
【００６４】
図６は、上記のような懸賞つきはがき１の当籤照会装置６０の構成例を概略的に示すブロック図である。
【００６５】
図６に示すような当籤照会装置６０は、例えば、懸賞つきはがき１の受取人が当籤照会のために懸賞つきはがきを持って郵便局を訪れた際に使用される。このため、上記当籤照会装置６０は、例えば、各郵便局内（窓口）に設置される。
【００６６】
上記当籤照会装置６０は、図６に示すように、供給部６１、リーダライタ（Ｒ／Ｗ）部６２、搬送部６３、区分部６４、収納部６５、判定処理部６６、表示部６７、印刷部６８、ネットワークインタフェース部６９、及び制御部７０などを有している。
【００６７】
上記供給部６１は、当籤の照会を行う懸賞つきはがき１を載置する載置台を有している。上記供給部６１は、上記載置台に載置された懸賞つきはがき１を１通ずつ取出して上記リーダライタ部６２へと送るものである。
【００６８】
上記リーダライタ部６２は、非接触式のＩＣチップとの無線通信を行うリーダライタ装置からなる。上記リーダライタ部６２は、懸賞つきはがき１に内蔵されているＩＣチップ１２内のメモリに対するデータの読取り及び書込みを行う機能を有している。
【００６９】
上記搬送部６３は、上記判定処理部６６による当籤判定処理の終わったはがきを上記区分部６４へと搬送するものである。上記区分部６４は、上記判定処理部６６による当籤判定処理結果（当籤等級、はずれ、無効、リジェクト）に基づいて、各懸賞つきはがきを対応する上記収納部６５内の各収納位置に区分するものである。上記収納部６５は、上記判定処理部６６による判定結果に基づいて上記区分部６４により区分されたはがきを判定処理結果別に収納する複数の収納位置を有している。
【００７０】
上記判定処理部６６は、懸賞つきはがき１の懸賞に対する種々の判定処理を行うものである。上記判定処理部６６は、当籤番号情報を保持するメモリ６６ａを有している。さらに、上記判定処理部６６は、現在の日時を計時するためのクロック（図示しない）を有している。
【００７１】
また、上記判定処理部６６は、上記メモリ６６ａに記憶されている当籤番号情報と懸賞つきはがき１のＩＣチップ１２に記録されている抽選番号とを照合することにより当該懸賞つきはがきが当籤しているか否かを判定する機能を有する。上記判定処理部６６は、懸賞つきはがきのＩＣチップ１２に記録されている抽選有効期限に基づいて当該懸賞つきはがきの懸賞が有効であるか否かを判定する機能を有する。上記判定処理部６６は、懸賞つきはがきのＩＣチップ１２に記録されている抽選番号とチップ識別ＩＤとの組み合わせなどに基づいて当該懸賞つきはがきの懸賞が有効であるか否かを判定する機能（真偽判定を行う機能）を有する。
【００７２】
上記表示部６７は、表示装置により構成される。上記表示部６７は、例えば、上記判定処理部６６による判定処理結果を集計した情報を表示する。上記印刷部６８は、上記判定処理部６６による判定処理結果を集計した集計結果を所定の帳票（受取人向けの当籤通知票）に印刷する。また、上記判定処理部６６による判定処理結果に基づいて差出人に当籤結果を通知する差出人向けの当籤通知帳票に印刷するものである。
【００７３】
上記ネットワークインタフェース部６９は、懸賞つきはがきに関する情報を一括管理するための情報管理サーバ４３と通信回線経由で通信するためのインターフェースである。上記制御部７０は、当籤照会装置６０全体の制御を司るものである。また、上記制御部７０は、各はがきの懸賞に対する判定処理結果を記録し、複数のはがきに対する判定処理結果を集計する集計メモリ７０ａを有している。
【００７４】
次に、はがきの懸賞に対する当籤照会の第１の実施の形態としての当籤照会装置６０の動作例について説明する。
【００７５】
図７は、上記当籤照会装置６０の動作例を説明するためのフローチャートである。ここでは、懸賞つきはがきの受取人（利用者）が当籤照会装置が設置されている郵便局の窓口に複数枚の懸賞つきはがきを持込んだ場合の動作について説明する。
【００７６】
まず、利用者から複数枚の懸賞つきはがきを受取った窓口の係員は、複数枚の懸賞つきはがきを揃えて上記供給部６１の載置台上にセットし、図示しない操作キーにより処理の開始を指示する。すると、上記制御部７０は、上記供給部６１により載置台上にセットされたはがきを１枚づつ取出してリーダライタ部６２へ供給する（ステップＳ３１）。
【００７７】
上記リーダライタ部６２は、当該懸賞つきはがき１に搭載されているＩＣチップ１２内のメモリに記録されている情報（抽選番号、抽選有効期限、差出人情報、当籤判定処理済み情報、チップ識別ＩＤ等）を読取る読取処理を行う（ステップＳ３２）。この読取処理は、上記発行装置４０における上記ステップＳ１８の読み込み処理と同様な手順で行われる。すなわち、上記リーダライタ部６２は、無線電波を発信して懸賞つきはがき１に埋め込まれているＩＣチップ１２を起動させて、ＩＣチップ１２内のメモリに記録されている情報を要求する。これに対して当該懸賞つきはがき１のＩＣチップ１２から返送された情報を上記リーダライタ部６２が受信することにより上記読取処理が行われる。
【００７８】
この読取処理により上記のような情報が正確に読取れなかった場合（ステップＳ３３、ＮＯ）、上記制御部７０は、当該はがきを「リジェクト」として上記区分部６４により上記収納部６５のリジェクトはがき用の収納位置に区分集積する（ステップＳ４０）。
【００７９】
また、上記読取処理により上記リーダライタ部６２が抽選番号、抽選有効期限、差出人情報、当籤判定処理済み情報、チップ識別ＩＤなどの情報を正確に読み取った場合（ステップＳ３３、ＹＥＳ）、上記判定処理部６６は、上記リーダライタ部６２が読取った情報に基づいて種々の判定処理を行う（ステップＳ３４〜Ｓ３６）。
【００８０】
この判定処理において、上記判定処理部６６は、まず、当該懸賞つきはがきに対する真偽判定を行う（ステップＳ３４）。この真偽判定において、上記判定処理部６６は、上記ネットワークインタフェース部６９により上記情報管理サーバ４３にアクセスし、当該懸賞つきはがきから読取った情報と上記情報管理サーバ４３に登録されている情報とが一致するか否かを判定する。
【００８１】
なお、懸賞つきはがき１に偽造防止のためのチェックコードが記録されている場合、上記判定処理部６６は、当該懸賞つきはがき１から読取ったチェックコードと当該懸賞つきはがき１から読取った「抽選番号」と「チップ識別ＩＤ」とから所定の演算処理により算出したチェックコードとが一致するか否かにより真偽を判定するようにしても良い。
【００８２】
上記真偽判定の結果として当該はがき１が真でない（偽造された可能性がある）と判定した場合（ステップＳ３４、ＮＯ）、上記判定処理部６６は、その判定結果を上記制御部７０へ通知する。これにより、上記制御部７０は、当該はがきを「リジェクト」として上記区分部６４により上記収納部６５のリジェクトはがき用の収納位置に区分集積する（ステップＳ４０）。
【００８３】
また、上記真偽判定の結果として当該懸賞つきはがきが偽造されたものでないと判定した場合（ステップＳ３４、ＹＥＳ）、上記判定処理部６６は、当該懸賞つきはがき１から読取った抽選有効期限と現在の日時とに基づいて当該懸賞つきはがき１の抽選番号が抽選の有効期限内であるか否かを判定（懸賞の有効性を判定）する（ステップＳ３５）。
【００８４】
この判定により当該懸賞つきはがき１の抽選番号が有効期限内であると判定した場合（ステップＳ３５、ＮＯ）、上記判定処理部６６は、その判定結果を上記制御部７０へ通知する。これにより、上記制御部７０は、当該はがきを「無効」として上記区分部６４により上記収納部６５の無効はがき用の収納位置に区分集積する（ステップＳ４０）。
【００８５】
また、上記判定により当該懸賞つきはがき１の抽選番号が有効期限内であると判定した場合（ステップＳ３５、ＹＥＳ）、上記判定処理部６６は、当該懸賞つきはがき１から読取った抽選番号と上記メモリ６６ａに予め記録されている当籤番号とを照合する（ステップＳ３６）。この照合処理による照合結果（判定結果）は、上記判定処理部６６から上記制御部７０へ通知される。ここで、上記制御部７０では、上記判定処理部６６から通知された判定結果を上記集計メモリ７０ａに記録する。
【００８６】
上記照合処理による照合結果として当該懸賞つきはがきの抽選番号が当籤していると判定した場合（ステップＳ３７、ＹＥＳ）、上記制御部７０は、上記ステップＳ３２で当該懸賞つきはがき１から差出人情報が読み取れたか否かを判断する（ステップＳ３８）。この判断により当該懸賞つきはがきから差出人情報が読み取れていると判断した場合（ステップＳ３８、ＹＥＳ）、上記制御部７０は、上記印刷部６８により差出人宛の当籤通知帳票を印刷出力する（ステップＳ３９）。この差出人宛の当選通知帳票は、当該懸賞つきはがきに関する情報とともに、そのはがきの懸賞に当籤したことを示す情報が印刷される。
【００８７】
また、上記制御部７０は、上記差出人宛の当籤通知帳票に印刷する情報をネットワークインタフェース部６９を用いて通信回線経由で情報管理サーバ４３に登録するようにしても良い。この場合、上記情報管理サーバ４３に登録した情報を差出人に対する当籤賞品の引換えの管理等に利用することが可能となる。
【００８８】
なお、上記差出人宛の当籤通知帳票は、差出人ごとに集計して集計メモリ７０ａに記録しておき、特定のタイミング（例えば、供給部６１にセットされたはがきに対する処理が終了した時点）で差出人ごとの当籤通知帳票として一括して印刷出力するようにしても良い。この場合、上記ステップＳ３９は、差出人ごとに当選情報（当籤した懸賞つきはがきに関する情報や当籤した等級などを示す情報）を集計メモリ７０ａに保持するという処理になる。
【００８９】
また、上記照合処理により当籤と判定した懸賞つきはがき１に対して、上記制御部７０は、上記リーダライタ部６２により当該懸賞つきはがき１のＩＣチップ１２に判定処理済みであることを示す情報を記録するとともに、当該懸賞つきはがき１を「当籤」として上記区分部６４により上記収納部６５の当籤はがき用の収納位置に区分集積する（ステップＳ４０）。
【００９０】
また、上記照合処理において抽選番号が当籤していない（はずれ）と判定した場合（ステップＳ３７、ＮＯ）、上記制御部７０は、上記リーダライタ部６２により当該懸賞つきはがき１のＩＣチップ１２に判定処理済みであることを示す情報を記録するとともに、当該懸賞つきはがき１を「はずれ」として上記区分部６４により上記収納部６５のはずれはがき用の収納位置に区分集積する（ステップＳ４０）。
【００９１】
なお、上記ステップＳ４０において、判定処理済みのはがきの表面にも、図示しない印字機構により判定処理済みであることを示す情報を印刷するようにしても良い。
【００９２】
上記ステップＳ３１〜Ｓ４０の処理が完了すると、上記制御部７０は、上記供給部６１に残りのはがきがあるか否かを判断する（ステップＳ４１）。この判断により上記供給部６１に残りのはがきがあると判断した場合（ステップＳ４１、ＹＥＳ）、上記制御部７０は、上記ステップＳ３１へ戻り、上記供給部６１の残りのはがきについて上記の処理と同様な処理を行う。
【００９３】
また、上記判断により上記供給部６１に残りのはがきがないと判断した場合（ステップＳ４１、ＮＯ）、上記制御部７０は、上記集計メモリ７０ａに記録された判定結果を集計し、その集計結果（当籤したはがきの枚数、はずれの枚数、無効なはがきの枚数、リジェクトされたはがきの枚数等）を上記表示部６７に表示するとともに、上記印刷部６８に受取人用の帳票に印刷して出力する（ステップＳ４２）。
【００９４】
上記のような受取人用の帳票を印刷出力すると、係員は、区分されたはがき（処理済みのはがき）、判定の集計結果を印刷出力した帳票、及び、当籤結果に応じた当籤景品などを受取人へ渡す。これにより、受取人から受取った懸賞つきはがきに対する当籤照会の一連の処理が完了する。
【００９５】
また、別の運用形態の例として、高位当籤の場合等で実際の当籤賞品が当該郵便局にない場合、高位当籤の情報を上記当籤照会装置６０から通信回線経由で上記情報管理サーバ４３へ送信し、受取人には賞品の代わりに受付票を渡すという運用も可能である。この場合、受取人は、上記受付票と引換に当籤賞品を受取るようになる。また、上記情報管理サーバ４３には当籤の情報とともに受取人情報（住所、氏名等）を登録し、上記情報管理サーバ４３に登録された情報に基づいて、当籤賞品を受取人宛に発送するようにすることも可能である。
【００９６】
また、上記の説明では当籤照会装置６０を郵便局の係員窓口内に設置し、郵便局の係員が操作するものとして説明したが、係員の省力化のため、当籤照会装置を郵便局内の待合室等に設置し、利用者が直接操作するようにしても良い。この場合、利用者が供給部６１へのはがきセットし、上記ステップＳ４２で印刷出力される判定結果の集計結果を示す受取人用の帳票を引換え票として、係員窓口で当籤賞品と引き換えるという運用も可能である。
【００９７】
また、上記ステップＳ３９で差出人への当籤通知を行う運用形態の場合、はがきの受取人が当籤照会装置で当籤照会を行わないかぎり、差出人は当籤したことを確認できない。この対策として、当籤番号発表時に、情報管理サーバ４３上で差出人ごとに当籤集計を行って、当籤通知用帳票を出力し、各差出人へ通知するという運用形態も実現可能である。
【００９８】
この場合、上記情報管理サーバ４３には、差出人情報と対応させた抽選番号情報を登録しておく必要がある。これは、例えば、上記発行装置４０での懸賞つきはがき１の発行時に、差出人情報と抽選番号とを対応して上記情報管理サーバ４３に登録されることにより実現される。また、懸賞つきはがきの区分処理時に、後述する第２の実施の形態で説明するような区分機が、はがきに搭載されているＩＣチップ、あるいは、発送時に差出人が添付する非接触ＩＣタグ等から読取る差出人情報と抽選番号とを上記情報管理サーバ４３に登録するようにしても良い。
【００９９】
なお、上記第１の実施の形態では、懸賞つきはがきの懸賞に対する当籤を照会する当籤照会装置について説明したが、懸賞つき切手の懸賞に対する当籤を照会する当籤照会装置も本第１の実施の形態で説明した当籤照会装置と同様な構成及び動作で実現できる。
【０１００】
上記のように、第１の実施の形態としての当籤照会装置は、紙葉類に搭載されているＩＣチップに記録されている抽選番号、抽選有効期限及びチップ識別ＩＤ等を読取り、当該紙葉類に搭載されているＩＣチップから読取った抽選番号が当籤しているか否かを判定し、その判定結果に基づいて紙葉類を区分するようにしてものである。これにより、紙葉類に付与されている懸賞が当籤しているか否かを容易に判定できる。
【０１０１】
また、上記当籤照会装置では、さらに、紙葉類から差出人情報を読み取り、差出人に対しても当籤の通知を行うようにしてものである。これにより、紙葉類の受取人だけでなく、差出人にも紙葉類に付与されている懸賞に対する当籤の権利が与えられる懸賞のしくみを提供できる。
【０１０２】
次に、懸賞つきはがきの当籤照会を行うための第２の実施の形態について説明する。
【０１０３】
本第２の実施の形態では、上記のような手順で発行された懸賞つきはがきの当籤照会を行う当籤照会システムについて説明する。
【０１０４】
図８は、本第２の実施の形態に係る当籤照会システムの構成例を概略的に示す図である。
【０１０５】
図８に示すように、当籤照会システムは、郵便物を区分する区分機８１と、この区分機に通信回線を介して接続された情報管理サーバ８２とからなる。
【０１０６】
この区分機８１は、大型の箱型状の区分機本体８１ａを有し、郵便物Ｐ上の宛名、郵便番号を読取り、その読取内容から宛名、郵便番号を認識し、この認識した宛名、郵便番号に対応する区分先に郵便物Ｐを区分するものである。
【０１０７】
上記区分機本体８１ａには、供給部９２、スキャナ部９３、搬送部９４、区分部９５、及び収納部９６が設けられている。この供給部９２からの郵便物Ｐは、搬送路によって搬送されることにより、搬送部９４、区分部９５を順次介して収納部９６に導かれる。上記供給部９２は、郵便物Ｐを載置する載置台７と、この載置台７から郵便物Ｐを一通ずつ取り出して搬送路に送る取出し部８とを有している。
【０１０８】
上記スキャナ部９３は、画像読取部９３ａと非接触ＩＣチップリーダライタ９３ｂを有している。上記画像読取部９３ａは、搬送路によって搬送される１通ずつの郵便物Ｐ上の画像を光学的に読取って画像情報を生成する。上記画像読取部９３ａの出力は認識部９７に供給される。この認識部９７は、上記画像読取部９３ａの出力に応じて宛先情報（郵便番号及び住所などの区分情報）としての文字認識を行うものである。
【０１０９】
上記搬送部９４は、スキャナ部９３を通過してきた郵便物Ｐを区分部９５へ搬送する。上記収納部９６は、郵便物Ｐを区分収納する多数の収納ポケットを有している。上記区分部９５は、搬送部９４から送られてくる郵便物Ｐをスキャナ部９３からの画像情報に対する後述する認識結果に基いて収納ポケットのいずれかに振り分ける。
【０１１０】
また、上記供給部９２、スキャナ部９３、搬送部９４、区分部９５及び認識部９７は、制御部９８に接続されている。この制御部９８は、区分機８１全体の動作を制御するものである。たとえば、制御部９８は図示しない区分指定テーブルを用いて、上記認識部９７の認識結果に対応する区分指定データを読出し、この読出した区分指定データ（収納ポケットのアドレス）に対応する収納ポケットに郵便物Ｐを搬送せしめるものである。
【０１１１】
また、上記制御部９８は、上記スキャナ部９３の非接触ＩＣチップリーダライタ９３ｂにより読取った情報に基づいて、はがきに付与されている懸賞が有効であるか否かを判定する機能（判定処理部としての機能）を有している。さらに、上記制御部９８には、情報管理サーバ８２とのデータ通信を行うネットワークインタフェース部９９が接続されており、上記ネットワークインタフェース部９９を介して上記情報管理サーバ８２へのデータ送信が可能となっている。
【０１１２】
上記情報管理サーバ８２は、上記第１の実施の形態で説明した情報管理サーバ４３と同様な構成及び機能を有するものである。上記情報管理サーバ８２は、例えば、制御部１０１、記憶装置１０２、ネットワークインタフェース部１０３などを有し、印刷装置１０４に接続されている。
【０１１３】
上記情報管理サーバ８２では、上記区分機８１から送信された情報を上記記憶装置１０２内のデータベースに登録する機能を有している。
【０１１４】
また、上記情報管理サーバ８２は、抽選番号に対する抽選結果（当籤情報）が与えられた場合、上記記憶装置１０２内のデータベースに登録されているデータに対する抽選番号と抽選結果とを照合して当籤の判定を行う機能（照合手段）、及び、差出人ごとに当籤した抽選番号に関する情報（当籤通知情報）を集計する機能を有している。
【０１１５】
さらに、上記情報管理サーバ８２は、各差出人に当籤通知情報を通知するために、上記印刷装置１０４により差出人ごとの当籤情報を印刷出力する機能（通知手段）を有している。また、差出人情報として差出人の電子メールアドレスが存在する場合、上記ネットワークインタフェース部１０３により上記当籤通知情報を各差出人宛に電子メールとして出力する機能（通知手段）も有している。
【０１１６】
次に、はがきの懸賞に対する当籤照会の第２の実施の形態としての当籤照会システムの動作例について説明する。
【０１１７】
図９は、上記区分機８１及び上記情報管理サーバ８２とを有する当籤照会システムの動作例を説明するためのフローチャートである。ここでは、当籤照会システムが懸賞つきはがきの当籤通知を差出人に通知する場合の動作について説明する。
【０１１８】
上記区分機８１が上記供給部９２にセットされた郵便物の区分処理を開始したものとする。すると、上記供給部は、郵便物を１枚ずつ取出してスキャナ部９３へ搬送する。スキャナ部９３では、上記画像読取部９３ａにより当該郵便物上の画像を読取る。これとともに、上記スキャナ部９３では、上記非接触ＩＣチップリーダライタ９３ｂにより当該郵便物に搭載されている非接触ＩＣチップからの情報の読取り処理を行う（ステップＳ５１）。
【０１１９】
ここで、当該郵便物に非接触ＩＣチップが搭載されていない場合、つまり、上記非接触ＩＣチップリーダライタ９３ｂが当該郵便物から情報を読み取れなかった場合、上記区分機８１は、上記認識部９７による宛先情報の認識結果に基づく区分処理を行う。
【０１２０】
また、当該郵便物に非接触ＩＣチップが搭載されている場合、つまり、上記非接触ＩＣチップリーダライタ９３ｂが当該郵便物から情報を読み取った場合、上記区分機８１は、上記認識部９７による宛先情報の認識結果に基づく区分処理を行うとともに、非接触ＩＣチップから読取った情報に対する処理を行う。なお、本説明では、宛先情報の認識結果に基づく区分処理については詳細な説明を省略するものとする。
【０１２１】
すなわち、上記スキャナ部９３の非接触ＩＣチップ１２が郵便物に搭載されている非接触ＩＣチップから情報を読取った場合、上記制御部９８は、読取った情報がはがきあるいは切手等に付与されている懸賞に関する情報（抽選番号、抽選有効期限、チップ識別ＩＤ、当籤判定処理済み情報、差出人情報等）として正常なものであるか否かを判断する（ステップＳ５２）。
【０１２２】
この読取処理により懸賞に関する情報が正確に読取れなかった場合（ステップＳ５２、ＮＯ）、上記制御部９８は、当該郵便物については上記区分処理にて処理する。また、上記読取処理により懸賞に関する情報を正確に読み取った場合（ステップＳ５２、ＹＥＳ）、上記制御部９８は、上記非接触ＩＣチップリーダライタ９３ｂが読取った懸賞に関する情報に基づいて懸賞としての有効性を判定する判定処理を行う（ステップＳ５３、Ｓ５４）。
【０１２３】
この判定処理において、上記制御部９８は、まず、当該懸賞に関する情報に対する真偽判定を行う（ステップＳ５３）。この真偽判定において、懸賞つきはがき１に偽造防止のためのチェックコードが記録されている場合、上記制御部９８は、当該郵便物から読取ったチェックコードと当該郵便物から読取った「抽選番号」と「チップ識別ＩＤ」とから所定の演算処理により算出したチェックコードとが一致するか否かにより真偽を判定する。なお、上記制御部９８は、上記ネットワークインタフェース部９９により上記情報管理サーバ４３にアクセスし、当該郵便物から読取った情報と上記情報管理サーバ４３に登録されている情報とが一致するか否かを判定するようにしても良い。
【０１２４】
上記真偽判定の結果として当該郵便物から読取った懸賞に関する情報が真でない（偽造された可能性がある）と判定した場合（ステップＳ５３、ＮＯ）、上記制御部９８は、当該郵便物に対しては上記区分処理にて処理する。
【０１２５】
また、上記真偽判定の結果として当該郵便物から読取った懸賞に関する情報が真である（偽造されたものでない）と判定した場合（ステップＳ５３、ＹＥＳ）、上記制御部９８は、図示しないクロックが計時している現在の日時と当該郵便物から読取った抽選有効期限とに基づいて当該懸賞に関する情報が抽選の有効期限内であるか否かを判定する（ステップＳ５４）。
【０１２６】
この判定により当該郵便物から読取った情報が抽選の有効期限内の懸賞に関する情報でないと判定した場合（ステップＳ５４、ＮＯ）、上記制御部９８は、当該郵便物に対しては上記区分処理にて処理する。
【０１２７】
また、上記判定により当該郵便物から読取った情報が抽選の有効期限内の懸賞に関する情報であると判定した場合（ステップＳ５４、ＹＥＳ）、上記制御部９８は、当該郵便物から読取った懸賞に関する情報としての抽選番号と差出人情報とを上記ネットワークインタフェース部９９により上記情報管理サーバ８２へ送信する（ステップＳ５５）。この懸賞に関する情報が上記情報管理サーバ８２へ送信された郵便物は、上記区分処理にて処理される。
【０１２８】
このような区分機８１の処理に対して、上記情報管理サーバ８２では、懸賞ごとの受付けの期限内（例えば、各懸賞の抽選の有効期限内）において上記区分機８１からの懸賞に関する情報の登録処理を行っている（ステップＳ６１、Ｓ６２）。すなわち、上記ステップＳ５５で上記区分機８１から送信された情報（懸賞に関する情報としての差出人情報及び抽選番号情報）を受信した際、その受信した懸賞に関する情報が受付け有効期限内のものであれば、上記情報管理サーバ８２の制御部１０１は、懸賞に関する情報としての差出人情報及び抽選番号情報を記憶装置１０２内のデータベースに順次登録する。
【０１２９】
上記受付け有効期限を過ぎた際、上記情報管理サーバ８２の制御部１０１は、上記区分機８１からの懸賞に関する情報の登録処理を終了する。この状態において上記情報管理サーバ８２に当該懸賞の抽選結果（当籤データ）が入力された場合、上記情報管理サーバ８２の制御部１０１は、上記データベースに登録している全ての抽選番号に対して当籤判定を行う。すなわち、懸賞の抽選結果が確定すると、上記情報管理サーバ８２の制御部１０１は、上記データベースに登録されている抽選番号と抽選結果とを１件ずつ照合する（照合手段）。
【０１３０】
このような当籤判定処理の結果は、例えば、上記情報管理サーバ８２の記憶装置１０２に保存され、全件に対する判定処理が完了した時点で、判定結果が当籤となっているものを、等級ごと、及び、差出人ごとに集計する。すなわち、上記情報管理サーバ８２の制御部１０１は、上記のような当籤判定の結果として当籤していると判定したデータ（当籤のデータ）を、懸賞の等級別、及び、差出人ごとに集計する集計処理を行う（ステップＳ６３）。
【０１３１】
この集計処理の集計結果に基づいて、上記情報管理サーバ８２の制御部１０１は、差出人ごとに差出人宛の当籤通知帳票を作成して上記印刷装置１０４により印刷出力する。この当籤通知帳票は、各差出人宛で郵送される。また、上記差出人情報として差出人の電子メールアドレスが存在する場合、上記情報管理サーバ８２の制御部１０１は、各差出人の電子メールアドレスに当籤内容を示す当籤通知を電子メールにて上記ネットワークインタフェース部１０３により送信するようにしても良い。
【０１３２】
なお、本第２の実施の形態において、受取人に対する当籤照会に関しては上記第１の実施の形態で説明したような当籤照会装置により行うことができる。但し、この場合は、上記ステップＳ３８、Ｓ３９の処理（差出人への当籤通知に関する部分）を省略した動作となる。
【０１３３】
上記のように、第２の実施の形態としての当籤照会システムでは、懸賞つき紙葉類に搭載されている非接触ＩＣチップに懸賞の抽選番号とともに差出人情報を記録しておき、区分機において紙葉類を区分する際に、紙葉類に搭載されている非接触ＩＣチップから読取った差出人情報と抽選番号情報とを対応させて情報管理サーバに記録し、抽選結果が確定した場合に上記情報管理サーバが記録している抽選番号に対する当籤判定処理を行い、当籤した抽選番号については対応する差出人情報に基づいて差出人へ当籤を通知するようにしてものである。これにより、差出人も懸賞に参加することができ、懸賞つきはがきや懸賞つき切手の魅力を高めることが可能となる。
【図面の簡単な説明】
【０１３４】
【図１】本発明の実施の形態に係る懸賞つきはがきの構成例を示す図。
【図２】懸賞つき切手の構成例を示す図。
【図３】懸賞つきはがきあるいは懸賞つき切手に搭載されるＩＣチップの構成例を概略的に示すブロック図。
【図４】懸賞つきはがきの発行装置の構成例を概略的に示すブロック図。
【図５】懸賞つきはがきの発行装置の動作例を説明するためのフローチャート。
【図６】第１の実施の形態に係る懸賞つきはがきの当籤照会装置の構成例を概略的に示すブロック図。
【図７】第１の実施の形態に係る懸賞つきはがきの当籤照会装置の動作例を説明するためのフローチャート。
【図８】第２の実施の形態に係る懸賞つきはがきの当籤照会システムの構成例を概略的に示すブロック図。
【図９】第２の実施の形態に係る懸賞つきはがきの当籤照会システムの動作例を説明するためのフローチャート。
【符号の説明】
【０１３５】
１１…アンテナ、１２…ＩＣチップ、４０…発行装置、４１…ユーザインタフェース部、４２…処理部、４３…情報管理サーバ（情報管理装置）、５３…入力装置、５５…非接触ＩＣチップリーダライタ（読取手段、記録手段）、５６…印刷部、５７…ネットワークインタフェース部（送信手段、登録手段）、５９…制御部（発行手段）、６０…当籤照会装置、６１…供給部、６２…リーダライタ部（読取手段、記録手段）、６４…区分部（区分手段）、６５…収納部、６６…判定処理部（第１の判定手段、第２の判定手段）、６６ａ…メモリ、６８…印刷部、６９…ネットワークインタフェース部、７０…制御部、７０ａ…集計メモリ、８１…区分機、８２…情報管理サーバ（情報管理装置）９２…供給部、９３ａ…画像読取部、９３ｂ…非接触ＩＣチップリーダライタ（読取手段）、９５…区分部（区分手段）、９８…制御部（判定手段）、９９…ネットワークインタフェース部（送信手段）、１０１…制御部（照合手段）、１０２…記憶装置（記憶手段）、１０３…ネットワークインタフェース（通知手段）、１０４…印刷装置（通知手段）
【図１】
2005190118.tif 000003
【図２】
2005190118.tif 000004
【図３】
2005190118.tif 000005
【図４】
2005190118.tif 000006
【図５】
2005190118.tif 000007
【図６】
2005190118.tif 000008
【図７】
2005190118.tif 000009
【図８】
2005190118.tif 000010
【図９】
2005190118.tif 000011